(57)【要約】【課題】電子機器を設置する環境に応じて柔軟に対応することができる電子機器筐体用のパネルを提供すること。【解決手段】本実施形態における電子機器筐体用のパネルは、電子機器筐体を構成するパネルであって、筐体内外に空気を通過させる通気口と、前記パネルの裏面側に前記通気口の範囲を覆い、前記電子機器筐体との間に空間を設ける通気金具と、前記通気口の開口範囲を変更するスライド可能に設けられたカバーとを有する。【選択図】図２
2020088308.tif 000002
【特許請求の範囲】
【請求項１】
電子機器筐体を構成するパネルであって、
筐体内外に空気を通過させる通気口と、
前記パネルの裏面側に前記通気口の範囲を覆い、前記電子機器筐体との間に空間を設ける通気金具と、
前記通気口の開口範囲を変更するスライド可能に設けられたカバーと
を有する電子機器筐体用のパネル。
【請求項２】
前記通気金具に前記通気口の範囲より広範囲に複数の通気穴を設けた請求項１記載の電子機器筐体用のパネル。
【請求項３】
前記通気口を少なくとも２箇所に設けた請求項１または請求項２記載の電子機器筐体用のパネル。
【請求項４】
前記電子機器筐体が設置された状態において前記カバーを横方向にスライド可能にする機構を設けた請求項１記載の電子機器筐体用のパネル。
【発明の詳細な説明】
【技術分野】
【０００１】
本発明は、電子機器筐体用のパネルに関する。
【背景技術】
【０００２】
近年、複数の電子機器（例えば、通信機器）をラックに収容することで、限られたスペースに多くの電子機器を配置することが行われている。電子機器は、内部の温度が高温となると、障害が発生する可能性がある。このため、吸気口と排気口とが設けられ、内部の温度が高温状態にならないように、吸気口から外気を吸い込み、内部の空気を排気口から排出している。一方、電子機器は、周囲がクリーンな状態でない（粉塵などが多い）環境では、外気を吸い込むと筐体内に粉塵が侵入して障害が発生する可能性がある。こうした環境で使用される電子機器の筐体には、吸気口と排気口とを設けない、あるいは粉塵が吸気口から侵入しないようにフィルタを設けるなど防塵対策が必要となる。
【０００３】
図７（Ａ）（Ｂ）には、吸気口と排気口とを設けた電子機器筐体の構成の一例を示している。図７（Ａ）は、電子機器筐体の正面１００を示す図、図７（Ｂ）は、電子機器筐体の背面１０１を示す図である。図７（Ａ）に示すように、電子機器筐体の正面１００には、コネクタ類の他に、複数の吸気口１１０が中央付近に縦横方向に配列されて設けられている。また、図７（Ｂ）に示すように、電子機器筐体の背面１０１には、同様にして、コネクタ類の他に、複数の排気口１１１が下部に縦横方向に配列されて設けられている。
【０００４】
図８（Ａ）（Ｂ）には、吸気口と排気口とを設けない電子機器筐体の構成の一例を示している。図８（Ａ）は、電子機器筐体の正面１０２を示す図、図８（Ｂ）は、電子機器筐体の背面１０３を示す図である。図８（Ａ）（Ｂ）に示すように、電子機器筐体の正面１０２と背面１０３には、コネクタ類が設けられるだけで、吸気口と排気口とが設けられていない。
【先行技術文献】
【特許文献】
【０００５】
【特許文献１】特開２０１３−７７７０９号公報
【発明の概要】
【発明が解決しようとする課題】
【０００６】
このように従来の電子機器筐体は、電子機器を設置する環境に応じて構成される。すなわち、外気を筐体に吸い込んで強制的に冷却する場合（強制空冷）には、筐体に吸気口と排気口とを設け、外気により強制的に冷却することができない場合（自然空冷）には、筐体に吸気口と排気口とを設けないようにする必要がある。また、周囲がクリーンな状態でない環境で外気により強制的に冷却する場合には、さらにフィルタを通じて外気を取り込む構成が必要となる。
【０００７】
このように、従来では、電子機器を設置する環境に応じて電子機器筐体を設計しなければならなかった。また、フィルタを通じて外気を取り込む構成では、周囲がクリーンな状態でない環境でも使用できるが、フィルタの交換などが必要となる。ラックに収容して限られたスペースに多くの電子機器を設置する状況では、フィルタを交換するための作業空間を確保することが困難であり好ましくない。
【０００８】
本発明は前述した事情に考慮してなされたもので、その目的は、電子機器を設置する環境に応じて柔軟に対応することができる電子機器筐体用のパネルを提供することにある。
【課題を解決するための手段】
【０００９】
上記の課題を解決するために、本実施形態における電子機器筐体用のパネルは、電子機器筐体を構成するパネルであって、筐体内外に空気を通過させる通気口と、前記パネルの裏面側に前記通気口の範囲を覆い、前記電子機器筐体との間に空間を設ける通気金具と、前記通気口の開口範囲を変更するスライド可能に設けられたカバーとを有する。
【発明の効果】
【００１０】
本発明によれば、電子機器を設置する環境に応じて柔軟に対応することができる。
【図面の簡単な説明】
【００１１】
【図１】ラックに収容される複数の電子機器の一例を示す図。
【図２】本実施形態における電子機器の筐体（電子機器筐体）の構成を示す図。
【図３】本実施形態におけるパネルの表面側を示す図。
【図４】本実施形態におけるパネルの表面側を示す図。
【図５】本実施形態におけるパネルの断面図。
【図６】通気口に設けられた通気金具をパネルの裏面側からみた斜視図。
【図７】吸気口と排気口とを設けた電子機器筐体の構成の一例を示す図。
【図８】吸気口と排気口とを設けない電子機器筐体の構成の一例を示す図。
【発明を実施するための形態】
【００１２】
以下、図面を参照して本発明の実施の形態について説明する。
【００１３】
図１は、ラック１０に収容される複数の電子機器２０（２０−１，２０−２，２０−３，２０−４）の一例を示す図である。図１に示すように、ラック１０は、縦長の箱状をしており、内部に複数の電子機器２０を収容可能である。図１に示すように、ラック１の内側側面には、複数の機器支持部材１２が取り付けられている。機器支持部材１２は、ラック１の奥行き方向に沿って水平に延びて配設されている。機器支持部材１２は、ラック１の高さ方向に、電子機器２０の高さに対応する間隔を設けて互いに平行に配置され、機器を支持するために内側に向けて張り出している。図１に示すように、電子機器２０−３は、機器支持部材１２が配設された位置に合わせて、前方から水平にラック１に収容される。
【００１４】
図２は、本実施形態における電子機器２０の筐体（電子機器筐体）の構成を示す図である。
【００１５】
図２に示すように、電子機器筐体は、直方体の箱状をしており、筐体本体２２とパネル２４により構成される。筐体本体２２は、互いに向かい合う左右の側面、上面と底面を有し、全体として前端が開放された偏平な中空の箱状をなしている。筐体本体２２には、発熱体となる基板などの電子回路部品、吸排気のためのファンなどが収容される。パネル２４は、電子機器筐体の正面あるいは背面を形成する部材であり、筐体本体２２に対して着脱可能に設けられている。例えば、パネル２４の四隅近傍には、ねじ穴３４が形成されている。一方、筐体本体２２のパネル２４の装着面側の四隅近傍には、パネル２４のねじ穴３４と相対する位置にねじ穴２６が設けられている。パネル２４は、筐体本体２２とパネル２４に設けられた、ねじ穴２６，３４を通じてネジ（図示せず）によって固定することで装着される。なお、ネジ以外の固定機構あるいは固定部材を用いて、パネル２４を筐体本体２２に装着することも可能である。
【００１６】
図２に示すように、本実施形態におけるパネル２４には、例えば２箇所に筐体内外に空気を通過させる通気口３０Ｌ，３０Ｒが設けられている。通気口３０Ｌ，３０Ｒは、例えばパネル２４の左右端部近傍に配置されており、スライド可能なカバー４０Ｌ，４０Ｒ（図３、図４参照）により開口範囲が変更可能にされている。
【００１７】
図２には、図示していないが、パネル２４には、電子機器筐体に収容された電子回路部品と外部機器等を接続するためのコネクタ類が設けられる。一般に、電子回路部品は、電子機器筐体の中央に配置されることが多い。従って、コネクタ類も中央に配置されることが多い。このため、図２に示すパネル２４では、通気口３０Ｌ，３０Ｒをパネル２４の左右端部近傍に配置している。
【００１８】
通気口３０Ｌ，３０Ｒの配置は、パネル２４の左右端部近傍に限るものではなく、例えば電子機器筐体に収容される電子回路部品の配置あるいはパネル２４に設けるコネクタ類の配置に応じて決定することができる。
【００１９】
図３及び図４は、本実施形態におけるパネル２４の表面側を示す図である。
【００２０】
図３は、パネル２４に設けられたカバー４０Ｌ，４０Ｒが閉じられており、通気口３０Ｌ，３０Ｒが開放されていない状態を示す図である。図４は、パネル２４に設けられたカバー４０Ｌ，４０Ｒが開かれており、通気口３０Ｌ，３０Ｒが開放されている状態を示す図である。
【００２１】
図５（Ａ）は、図３に示すパネル２４のＡ−Ａ線における断面図、図５（Ｂ）は、図４に示すパネル２４のＢ−Ｂ線における断面図である。
【００２２】
図３及び図４に示すように、通気口３０Ｌにはカバー４０Ｌが設けられている。カバー４０Ｌは、上下２箇所に設けられた摺動溝４４Ｌ１，４４Ｌ２において、それぞれネジ４５Ｌ１，４５Ｌ２によってスライド可能な状態で固定される。摺動溝４４Ｌ１，４４Ｌ２は、水平方向に間隔を設けて、互いに平行に配置されている。また、通気口３０Ｒにはカバー４０Ｒが設けられている。カバー４０Ｒは、上下２箇所に設けられた摺動溝４４Ｒ１，４４Ｒ２において、それぞれネジ４５Ｒ１，４５Ｒ２によってスライド可能な状態で固定される。摺動溝４４Ｒ１，４４Ｒ２は、水平方向に間隔を設けて、互いに平行に配置されている。
【００２３】
すなわち、カバー４０Ｌ，４０Ｒは、特別な工具を用いることなく、作業員による手動操作によりスライドされ、通気口３０Ｌ，３０Ｒの開放範囲を調整することができる。
【００２４】
図３及び図４に示すように、通気口３０Ｌ，３０Ｒは、左右対称に構成されている。通気口３０Ｌでは、開放させる場合にはカバー４０Ｌを左方向にスライドさせるように構成され、通気口３０Ｒでは、開放させる場合にはカバー４０Ｒを右方向にスライドさせるように構成されている。
【００２５】
カバー４０Ｌ，４０Ｒは、図５（Ａ）（Ｂ）に示すように、パネル２４の裏面側に密着させた状態で、それぞれネジ４５Ｌ１，４５Ｌ２、ネジ４５Ｒ１，４５Ｒ２により固定することができる。カバー４０Ｌ，４０Ｒをパネル２４の裏面側でスライド可能に構成することで、カバー４０Ｌ，４０Ｒがパネル２４の表面側で突出しない。従って、電子機器筐体の外形サイズの増大を招かない。
【００２６】
カバー４０Ｌは、摺動溝４４Ｌ１，４４Ｌ２に沿って、水平（横）方向にスライドさせることができる。カバー４０Ｌの表面には、縦方向に長い取手４２Ｌが設けられている。取手４２Ｌは、図５（Ａ）（Ｂ）に示すように、パネル２４の表面から僅かに突出しており、カバー４０Ｌをスライドさせる際に指を掛けることができる。従って、取手４２Ｌを利用することでカバー４０Ｌに対するスライド操作を容易にすることができる。
【００２７】
同様にして、カバー４０Ｒは、摺動溝４４Ｒ１，４４Ｒ２に沿って、水平（横）方向にスライドさせることができる。カバー４０Ｒの表面には、縦方向に長い取手４２Ｒが設けられている。取手４２Ｒは、図５（Ａ）（Ｂ）に示すように、取手４２Ｌと同様に構成され、取手４２Ｒを利用することでカバー４０Ｒに対するスライド操作を容易にすることができる。
【００２８】
取手４２Ｌ，４２Ｒは、パネル２４の表面から大きく突出しない高さで形成することで、電子機器２０が収容されたラック１０を狭い空間に設置する場合であっても、取手４２Ｌ，４２Ｒが障害となるおそれがない。
【００２９】
カバー４０Ｌ，４０Ｒは、それぞれ個別に通気口３０Ｌ，３０Ｒの開放範囲を調整することができる。従って、例えば、電子機器筐体に収納される電子回路部品の配置に応じて、カバー４０Ｌ，４０Ｒのそれぞれのスライド幅を変えることができる。例えば、通気口３０Ｌの近くに発熱量の大きい電子回路部品がある場合には開放範囲を大きくし、通気口３０Ｒの近くに発熱量の大きい電子回路部品がない場合には開放範囲を小さくするなどの対応をすることができる。
【００３０】
図４は、カバー４０Ｌ，４０Ｒが最大限までスライドされた状態を示している。図４に示すように、カバー４０Ｌ，４０Ｒをスライドさせることにより、電子機器筐体内と外部との間で空気を通過させることができるように通気口３０Ｌ，３０Ｒを開放することができる。
【００３１】
図５（Ａ）（Ｂ）及び図６に示すように、パネル２４の裏面側には、通気口３０Ｌ，３０Ｒのそれぞれに対応して通気金具５０Ｌ，５０Ｒが設けられている。通気金具５０Ｌ，５０Ｒは、パネル２４の裏面側において通気口３０Ｌ，３０Ｒの範囲を覆い、パネル２４の裏面との間（電子機器筐体内側）に空間を設けている。
【００３２】
図６は、通気口３０Ｒに設けられた通気金具５０Ｒをパネル２４の裏面側からみた斜視図である。通気金具５０Ｌ，５０Ｒは、例えば直方体の箱形に形成される。通気金具５０Ｌ，５０Ｒは、例えばパネル２４の裏面に、複数のリベット５４Ｌ，５４Ｒなどの固定部材、あるいは接着材などによって取り付けられている。
【００３３】
図６に示すように、通気金具５０Ｌ，５０Ｒは、カバー４０Ｌ，４０Ｒがスライド可能な範囲を覆っている。従って、カバー４０Ｌ，４０Ｒが最大限までスライドされた状態において通気口３０Ｌ，３０Ｒが開放される開口面積より、通気金具５０Ｌ，５０Ｒの裏面側（パネル２４が筐体本体２２に装着された状態における電子機器筐体内側）の面積の方が広くなっている。通気金具５０Ｌ，５０Ｒは、通気口３０Ｌ，３０Ｒの範囲より広範囲に複数の通気穴５２Ｌ，５２Ｒが設けられている。図６では、通気金具５０Ｌ，５０Ｒの裏面側平面部の全体に渡って複数の通気穴５２Ｌ，５２Ｒが設けられている。
【００３４】
なお、通気穴５２Ｌ，５２Ｒの配置パターン、形状、大きさ、数については特に限定されるものではなく、電子機器筐体と外部との間で空気を吸排気するために好適な配置パターン、形状、大きさ、数が決定される。
【００３５】
本実施形態におけるパネル２４は、カバー４０Ｌ，４０Ｒをスライドさせることで、図３に示す通気口３０Ｌ，３０Ｒが開放されていない状態、あるいは図４に示す通気口３０Ｌ，３０Ｒが開放されている状態に切り替えることができる。従って、電子機器２０を強制空冷する環境（外気を筐体に吸い込んで強制的に冷却する）に設置する場合には、図４に示す通気口３０Ｌ，３０Ｒを開放させた状態で筐体本体２２に装着して電子機器筐体を構成すれば良い。また、電子機器２０を自然空冷する環境（外気を筐体に吸い込まないで冷却する）に設置する場合には、図３に示す通気口３０Ｌ，３０Ｒを開放させない状態で筐体本体２２に装着して電子機器筐体を構成すれば良い。すなわち、本実施形態におけるパネル２４は、強制空冷する環境に設置する電子機器２０と、自然空冷する環境に設置する電子機器２０の何れにも共通して適用することができる。これにより、電子機器を設置する環境に応じて電子機器筐体を設計する必要がなく、設計負担を軽減することができる。
【００３６】
また、強制空冷する環境に設置する電子機器２０は、通気口３０Ｌ，３０Ｒを開放させた状態で使用されるが、電子回路部品の発熱量の変化や、電子機器２０（ラック１０）の設置環境の変化に応じて、要求される冷却性能を変更しなければならない状況が発生しうる。こうした場合、電子機器２０を運用した状態のままでカバー４０Ｌ，４０Ｒをスライドさせて、通気口３０Ｌ，３０Ｒの開放範囲の調整が必要となる。
【００３７】
本実施形態におけるパネル２４では、カバー４０Ｌ，４０Ｒに対するスライド操作を横方向にすることで作業を容易にしている。例えば、作業空間が狭い場合にはラック１０に近接した位置で作業しなければならないため、ラック１０において上方あるいは下方に収納された電子機器２０に対しては、縦方向でカバー４０Ｌ，４０Ｒをスライドさせて開放範囲を調整しようとしても、スライド幅を容易に確認することができない。これに対して、カバー４０Ｌ，４０Ｒに対する横方向のスライド幅については作業空間が狭くても確認が容易であるので、縦方向でカバー４０Ｌ，４０Ｒをスライドさせて開放範囲を調整する場合よりも作業を容易にすることができる。
【００３８】
また、通気口３０Ｌ，３０Ｒには、通気金具５０Ｌ，５０Ｒが設けられているので、カバー４０Ｌ，４０Ｒが開いている状態のときに作業者が誤って通気口３０Ｌ，３０Ｒから筐体内に手を入れてしまう、あるいは不要物が筐体内に入るなどの障害を防止することができる。
【００３９】
また、本実施形態におけるパネル２４では、通気金具５０Ｌ，５０Ｒを設けることで、通気口３０Ｌ，３０Ｒを通過する空気を、通気金具５０Ｌ，５０Ｒによりパネル２４の裏面との間に形成される空間を通じて吸排気させる。例えば、通気口３０Ｌ，３０Ｒにおいて、カバー４０Ｌ，４０Ｒのスライド位置の調整により開口部が狭くなった場合には、ファンによる吸排気がされると空気の流速が速くなる。本実施形態のパネル２４では、カバー４０Ｌ，４０Ｒにより設けられた狭い範囲で、速い流速で空気が筐体内に直接吸気されるのではなく、通気金具５０Ｌ，５０Ｒにより形成される空間から通気穴５２Ｌ，５２Ｒを通じて筐体内に吸気される。すなわち、通気口３０Ｌ，３０Ｒを通過した空気は、通気金具５０Ｌ，５０Ｒの裏面側平面部の全体から筐体内部に対して一様に吸気されて電子回路部品を冷却することができる。これにより、筐体内の配置された複数の発熱体に対して冷却むらが発生しにくくなる。さらに、通気金具５０Ｌ，５０Ｒを通じて吸排気をすることで、吸排気に伴う風切り音の発生も抑制することができる。
【００４０】
なお、前述した説明では、電子機器筐体（筐体本体２２）の一方の面（正面あるいは背面）に装着されるパネル２４について説明しているが、正面と背面の両方にパネル２４を装着するようにしても良い。この場合、一方に装着されたパネル２４から吸気し、他方に装着されたパネル２４から排気するように、例えばファンによって空気の流れを作るようにする。
【００４１】
また、電子機器筐体（筐体本体２２）の一方の面（例えば正面）にのみパネル２４を装着するようにしても良い。この場合、パネル２４に設けられた一方の例えば通気口３０Ｌを吸気口として用い、他方の通気口３０Ｒを排気口として用いる。この場合、例えば排気口とする通気口３０Ｒにファンを設けて排気する構成とすることで、通気口３０Ｌから吸気させることができる。これにより、電子機器２０の背面側に吸排気のためのスペースを確保する必要がなくなるので、ラック１０の背面側を壁などに密着させて設置することができ、限られた設置スペースを有効に利用することができる。
【００４２】
なお、前述した説明では、パネル２４の左右端部近傍に縦長の通気口３０Ｌ，３０Ｒを設けているが、通気口３０Ｌ，３０Ｒの形状については縦長に限るものではなく、通気口３０Ｌ，３０Ｒのサイズも限定されるものではない。また、パネル２４に対して２箇所に通気口３０Ｌ，３０Ｒを設けているが３箇所以上に通気口を設けることも可能である。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１０…ラック、２０（２０−１，２０−２，２０−３，２０−４）…電子機器、２２…筐体本体、２４…パネル、３０Ｌ，３０Ｒ…通気口、４０Ｌ，４０Ｒ…カバー、４２Ｌ，４２Ｒ…取手、５０Ｌ，５０Ｒ…通気金具、５２Ｌ，５２Ｒ…通気穴。
【図１】
2020088308.tif 000003
【図２】
2020088308.tif 000004
【図３】
2020088308.tif 000005
【図４】
2020088308.tif 000006
【図５】
2020088308.tif 000007
【図６】
2020088308.tif 000008
【図７】
2020088308.tif 000009
【図８】
2020088308.tif 000010